(57)【要約】【課題】複数の電子ファイルにわたるコンテンツの管理を簡素化し、また、各コンテンツをユーザーに参照させやすくする。【解決手段】表示システム１の管理サーバー１０は、各々が１又は複数単位のコンテンツを含む２以上の第１電子ファイルを結合して、第２電子ファイルを生成し、生成した第２電子ファイルに対し、前記第１電子ファイル単位のコンテンツの開始位置を特定する第１タグと、一単位のコンテンツの開始位置を特定する第２タグを付与して、表示装置２０へ送信する。表示装置２０は、受信した第２電子ファイルに基づいて、前記第１タグ及び前記第２タグと関連付けてコンテンツを表示させ、前記第１タグを指定する操作が受け付けられた場合には、当該第１タグで特定される開始位置にあるコンテンツを、前記第２タグを指定する操作が受け付けられた場合には、当該第２タグで特定される開始位置にあるコンテンツをそれぞれ表示する。【選択図】図１
2015200954.tif 000002
【特許請求の範囲】
【請求項１】
サーバー装置と表示装置とを備え、
前記サーバー装置は、
各々が１又は複数単位のコンテンツを含む２以上の第１電子ファイルを結合して、第２電子ファイルを生成する結合手段と、
前記結合手段により生成された前記第２電子ファイルに対し、前記第１電子ファイル単位の前記コンテンツの開始位置を特定する第１タグと、一単位の前記コンテンツの開始位置を特定する第２タグを付与する付与手段と、
前記第１タグ及び前記第２タグが付与された前記第２電子ファイルを、前記表示装置へ送信する送信手段と
を有し、
前記表示装置は、
画像を表示する表示手段と、
前記送信手段により送信された前記第２電子ファイルを受信する受信手段と、
前記受信手段により受信された前記第２電子ファイルに基づいて、前記第１タグ及び前記第２タグと関連付けて、前記表示手段に前記コンテンツを表示させる表示制御手段と、
前記表示手段に表示する前記コンテンツを指定する操作を受け付ける受付手段と
を有し、
前記表示制御手段が、
前記第１タグを指定する前記操作が受け付けられた場合には、当該第１タグで特定される開始位置にあるコンテンツを、前記第２タグを指定する前記操作が受け付けられた場合には、当該第２タグで特定される開始位置にあるコンテンツをそれぞれ表示させる
表示システム。
【請求項２】
前記付与手段は、
前記第２電子ファイルにおいて、一の前記第１電子ファイルに含まれていた前記コンテンツに対し、他の前記第１電子ファイルに含まれていた前記コンテンツの位置情報を付与し、
前記表示制御手段は、
前記位置情報を指定する前記操作が受け付けられた場合、当該位置情報が示す位置にあるコンテンツを、前記表示手段に表示させる
ことを特徴とする請求項１に記載の表示システム。
【請求項３】
前記サーバー装置が、
前記第１電子ファイルを決められたファイル形式に変換する変換手段を備え、
前記結合手段は、
前記ファイル形式の変換後の前記第１電子ファイルを結合する
ことを特徴とする請求項１又は請求項２に記載の表示システム。
【請求項４】
前記第１タグ及び前記第２タグが付与された前記第２電子ファイルを、当該第１タグで特定される開始位置で分割することにより、複数の第３電子ファイルを生成する分割手段
を備えることを特徴とする請求項１から請求項３のいずれか１項に記載の表示システム。
【請求項５】
前記結合手段は、
前記第２電子ファイルに、他の前記第１電子ファイルを追加する場合には、当該第２電子ファイルに含まれる一単位以上の前記コンテンツの開始位置が変化するように、当該他の第１電子ファイルと、前記複数の第３電子ファイルを結合する
ことを特徴とする請求項４に記載の表示システム。
【請求項６】
各々が１又は複数単位のコンテンツを含む２以上の第１電子ファイルを結合して、第２電子ファイルを生成するステップと、
生成した前記第２電子ファイルに対し、前記第１電子ファイル単位の前記コンテンツの開始位置を特定する第１タグと、一単位の前記コンテンツの開始位置を特定する第２タグを付与するステップと、
前記第１タグ及び前記第２タグが付与された前記第２電子ファイルを送信するステップと、
送信した前記第２電子ファイルを受信するステップと、
受信した前記第２電子ファイルに基づいて、前記第１タグ及び前記第２タグと関連付けて、画像を表示する表示手段に前記コンテンツを表示させるステップと、
前記表示手段に表示する前記コンテンツを指定する操作を受け付けるステップと、
前記第１タグを指定する前記操作が受け付けられた場合には、当該第１タグで特定される開始位置にあるコンテンツを、前記第２タグを指定する前記操作が受け付けられた場合には、当該第２タグで特定される開始位置にあるコンテンツをそれぞれ表示させるステップと
を有する表示方法。
【請求項７】
各々が１又は複数単位のコンテンツを含む２以上の第１電子ファイルを結合して、第２電子ファイルを生成する結合手段と、
前記結合手段により生成された前記第２電子ファイルに対し、前記第１電子ファイル単位の前記コンテンツの開始位置を特定する第１タグと、一単位の前記コンテンツの開始位置を特定する第２タグを付与する付与手段と、
前記第１タグ及び前記第２タグが付与された前記第２電子ファイルを、前記コンテンツを表示する表示装置へ送信する送信手段と
を備えるサーバー装置。
【請求項８】
画像を表示する表示手段と、
各々が１又は複数単位のコンテンツを含む２以上の第１電子ファイルを結合し、前記第１電子ファイル単位の前記コンテンツの開始位置を特定する第１タグと、一単位の前記コンテンツの開始位置を特定する第２タグが付与された第２電子ファイルを受信する受信手段と、
前記受信手段により受信された前記第２電子ファイルに基づいて、前記第１タグ及び前記第２タグと関連付けて、前記表示手段に前記コンテンツを表示させる表示制御手段と、
前記表示手段に表示する前記コンテンツを指定する操作を受け付ける受付手段と
を備え、
前記表示制御手段が、
前記第１タグを指定する前記操作が受け付けられた場合には、当該第１タグで特定される開始位置にあるコンテンツを、前記第２タグを指定する前記操作が受け付けられた場合には、当該第２タグで特定される開始位置にあるコンテンツをそれぞれ表示させる
表示装置。
【請求項９】
コンピューターを、
各々が１又は複数単位のコンテンツを含む２以上の第１電子ファイルを結合して、第２電子ファイルを生成する結合手段と、
前記結合手段により生成された前記第２電子ファイルに対し、前記第１電子ファイル単位の前記コンテンツの開始位置を特定する第１タグと、一単位の前記コンテンツの開始位置を特定する第２タグを付与する付与手段と、
前記第１タグ及び前記第２タグが付与された前記第２電子ファイルを、前記コンテンツを表示する表示装置へ送信する送信手段
として機能させるためのプログラム。
【発明の詳細な説明】
【技術分野】
【０００１】
本発明は、複数の電子ファイルにわたってコンテンツを表示するための技術に関する。
【背景技術】
【０００２】
企業等では、書類を電子化して管理することが一般に行われている。この種の書類の一例として、企業で行われる特許出願業務に係る書類がある。特許文献１は、入力された特許文書を、願書、明細書、要約書、図面及び化学式等を記載した書類毎に分類して特許包袋データベースへ格納し、更に、願書、要約書及び図面情報から抽出した情報に基づいて特許抄本を自動生成し、該特許包袋データベースへ登録することを開示している。相互に関連する複数の電子ファイルを管理する技術として、特許文献２〜４は、複数のファイルを仮想的に結合して、これらのファイルを統合的に管理することを開示している。
【先行技術文献】
【特許文献】
【０００３】
【特許文献１】特開平１１−８５７９９号公報
【特許文献２】特開２００６−１３９６１１号公報
【特許文献３】特開２００３−３６１９２号公報
【特許文献４】特開２０００−１２２７８２号公報
【発明の概要】
【発明が解決しようとする課題】
【０００４】
特許文献１〜４に記載された技術では、書類毎にファイルが独立している。また、特許出願業務に係る書類は、前述した特許文書の他にも、例えば、特許出願後に追加される拒絶理由通知書や引用文献等の書類、及び、企業内で扱われる管理票や発明資料等の書類を含む場合がある。このため、扱うべき書類の種類又は数が増大するとファイルの管理が煩雑になることがある。また、ユーザーは、複数のファイルにわたってコンテンツを同時に参照する場合、ファイルを開く操作や目的のコンテンツを表示させるための操作を、ファイル毎に行わなければならず、その操作が煩わしい場合がある。
本発明は、上述した事情に鑑みてなされたもので、その目的の一つは、複数の電子ファイルに含まれるコンテンツの管理を簡素化し、また、各コンテンツをユーザーに参照させやすくすることである。
【課題を解決するための手段】
【０００５】
上記目的を達成するために、本発明に係る表示システムは、サーバー装置と表示装置とを備え、前記サーバー装置は、各々が１又は複数単位のコンテンツを含む２以上の第１電子ファイルを結合して、第２電子ファイルを生成する結合手段と、前記結合手段により生成された前記第２電子ファイルに対し、前記第１電子ファイル単位の前記コンテンツの開始位置を特定する第１タグと、一単位の前記コンテンツの開始位置を特定する第２タグを付与する付与手段と、前記第１タグ及び前記第２タグが付与された前記第２電子ファイルを、前記表示装置へ送信する送信手段とを有し、前記表示装置は、画像を表示する表示手段と、前記送信手段により送信された前記第２電子ファイルを受信する受信手段と、前記受信手段により受信された前記第２電子ファイルに基づいて、前記第１タグ及び前記第２タグと関連付けて、前記表示手段に前記コンテンツを表示させる表示制御手段と、前記表示手段に表示する前記コンテンツを指定する操作を受け付ける受付手段とを有し、前記表示制御手段が、前記第１タグを指定する前記操作が受け付けられた場合には、当該第１タグで特定される開始位置にあるコンテンツを、前記第２タグを指定する前記操作が受け付けられた場合には、当該第２タグで特定される開始位置にあるコンテンツをそれぞれ表示させる。
本発明によれば、複数の電子ファイルにわたるコンテンツの管理を簡素化し、また、各コンテンツをユーザーに参照させやすくすることができる。
【０００６】
本発明に係る表示システムにおいて、前記付与手段は、前記第２電子ファイルにおいて、一の前記第１電子ファイルに含まれていた前記コンテンツに対し、他の前記第１電子ファイルに含まれていた前記コンテンツの位置情報を付与し、前記表示制御手段は、前記位置情報を指定する前記操作が受け付けられた場合、当該位置情報が示す位置にあるコンテンツを、前記表示手段に表示させてもよい。
この発明によれば、２以上の第１電子ファイルをわたってコンテンツを参照するときのユーザーの負担が減る。
【０００７】
本発明に係る表示システムにおいて、前記第１電子ファイルを決められたファイル形式に変換する変換手段を備え、前記結合手段は、前記ファイル形式の変換後の前記第１電子ファイルを結合してもよい。
この発明によれば、第１電子ファイルが予め特定のファイル形式に変換されていなくてもよい。
【０００８】
本発明に係る表示システムにおいて、前記第１タグ及び前記第２タグが付与された前記第２電子ファイルを、当該第１タグで特定される開始位置で分割することにより、複数の第３電子ファイルを生成する分割手段を備えてもよい。
この発明によれば、第２電子ファイルに含まれるコンテンツを、第１電子ファイル単位で分割して管理することができる。
【０００９】
この表示システムにおいて、前記結合手段は、前記第２電子ファイルに、他の前記第１電子ファイルを追加する場合には、当該第２電子ファイルに含まれる一単位以上の前記コンテンツの開始位置が変化するように、当該他の第１電子ファイルと、前記複数の第３電子ファイルを結合してもよい。
この発明によれば、第１電子ファイルを追加して第２電子ファイルを再生成するときに、当該第１電子ファイルのコンテンツを配置する位置が制限されにくくなる。
【００１０】
なお、本発明は、表示システムのほか、表示方法、サーバー装置、表示装置及びプログラムとしても観念することが可能である。
【図面の簡単な説明】
【００１１】
【図１】本発明の一実施形態に係る表示システムの全体構成を示す図。
【図２】同実施形態に係る管理サーバーのハードウェア構成を示すブロック図。
【図３】同実施形態に係る出願業務ファイル群の構成例を示す図。
【図４】同実施形態に係るコンテンツ管理テーブルの構成例を示す図。
【図５】同実施形態に係る表示装置のハードウェア構成を示すブロック図。
【図６】同実施形態に係る文書ファイルの構成例を示す図。
【図７】同実施形態に係るページ情報テーブルの構成例を示す図。
【図８】同実施形態に係る表示状態テーブルの構成例を示す図。
【図９】同実施形態に係る表示システムの機能構成を示す機能ブロック図。
【図１０】同実施形態に係る表示システムの全体的な動作を示すシーケンス図。
【図１１】同実施形態に係る表示システムの文書ファイルの生成過程の説明図。
【図１２】同実施形態に係る表示システムの文書ファイルの生成過程の説明図。
【図１３】同実施形態に係る表示システムの文書ファイルの生成過程の説明図。
【図１４】同実施形態に係る表示システムの文書ファイルの生成過程の説明図。
【図１５】同実施形態に係る表示装置が行う表示処理の流れを示すフローチャート。
【図１６】同実施形態に係る表示装置での第１タグの指定時の表示例を示す図。
【図１７】同実施形態に係る表示装置での第２タグの指定時の表示例を示す図。
【図１８】同実施形態に係る表示装置でのページ送り操作時の表示例を示す図。
【図１９】同実施形態に係る表示装置での第１タグの指定時の他の表示例を示す図。
【図２０】同実施形態に係るページ情報テーブル及び表示状態テーブルの構成例を示す図。
【図２１】同実施形態に係る表示装置が行う分割の流れを示すフローチャート。
【図２２】同実施形態に係る表示装置が生成する分割ファイルの構成例を示す図。
【図２３】同実施形態に係る表示装置が行う更新処理の流れを示すフローチャート。
【図２４】同実施形態に係る表示装置が行う文書ファイルの更新処理の説明図。
【図２５】本発明の変形例１に係る表示装置が行う表示処理の流れを示すフローチャート。
【図２６】同変形例に係る表示装置での第２タグの指定時の表示例を示す図。
【発明を実施するための形態】
【００１２】
以下、本発明の実施の形態について図面を参照しつつ説明する。
＜表示システム１の全体構成＞
図１は、本発明の一実施形態に係る表示システム１の全体構成を示すブロック図である。図１に示すように、表示システム１は、管理サーバー１０と、表示装置２０とを備える。管理サーバー１０と表示装置２０とは、ネットワーク１００を介して通信可能に接続される。ネットワーク１００は、例えば、企業内に構築されたＬＡＮ（Local Area Network）であるが、他のネットワークであってもよい。表示システム１において、表示装置２０は２台以上存在するが、この実施形態では、代表の１台の表示装置２０を説明する。
【００１３】
管理サーバー１０は、文書を電子化して管理するサーバー装置である。管理サーバー１０は、例えば企業内に設置され、その企業の特許出願業務に係る文書の電子ファイルを管理する。表示装置２０は、管理サーバー１０からダウンロードした文書ファイルに基づいて、コンテンツ（即ち文書）を表示する装置である。表示装置２０は、表示部２３にコンテンツを表示する電子ペーパーである。表示装置２０は、例えばタブレット端末であり、企業に所属する従業員がユーザーとなって使用される。表示装置２０は、スタイラスペン２００（指示体）を用いて行われる、表示部２３の表示面上の位置を指示する操作（例えばタップ操作）を受け付ける。
【００１４】
＜管理サーバー１０のハードウェア構成＞
図２は、管理サーバー１０のハードウェア構成を示すブロック図である。図２に示すように、管理サーバー１０は、制御部１１と、通信部１２と、記憶部１３とを備える。
制御部１１は、演算処理装置であるＣＰＵ（Central Processing Unit）１１ａと、ＲＯＭ(Read Only Memory)及びＲＡＭ（Random Access Memory）を含むメモリー１１ｂとを有するマイクロコンピューターを備える。ＣＰＵ１１ａは、ＲＯＭ又は記憶部１３に記憶されたプログラムをＲＡＭに読み出して実行することにより、管理サーバー１０の各部を制御する。通信部１２は、ネットワーク１００に接続するためのインターフェースである。記憶部１３は、例えばハードディスク装置であり、制御プログラム及びその他のデータを記憶する記憶装置（記憶手段）である。
【００１５】
記憶部１３は、例えば企業が行う特許出願毎に、出願業務ファイル群Ｆａを記憶する。出願業務ファイル群Ｆａは、特許出願業務に係る２以上のファイル（第１電子ファイル）によって構成される。出願業務ファイル群Ｆａを構成する各ファイルのことを、以下では、「構成ファイル」と称する。出願業務ファイル群Ｆａの構成ファイルの各々は、例えば、企業に所属する従業員によって生成され、記憶部１３に記憶される。一の出願業務ファイル群Ｆａの複数の構成ファイルは、例えば、同一のフォルダーの配下に格納されたり、共通の文字列がファイル名に付されたりして、記憶部１３に記憶される。構成ファイルは、例えば、ＰＤＦ（Portable Document Format）形式のファイルであるが、他の形式のファイル（例えば、Ｗｏｒｄ形式）であってもよい。
【００１６】
図３は、出願業務ファイル群Ｆａの構成例を示す図である。図３に示すように、出願業務ファイル群Ｆａは、構成ファイルｆａ１〜ｆａ７を含む。
構成ファイルｆａ１は、表紙を表すファイルである。構成ファイルｆａ２は、特許出願業務の管理票を表すファイルである。構成ファイルｆａ３は、発行された拒絶理由通知書を表すファイルである。構成ファイルｆａ４は、拒絶理由通知書で引用された文献（即ち、引用文献）を表すファイルである。構成ファイルｆａ５は、出願手続に用いた書類である出願書類を表すファイルである。構成ファイルｆａ６は、発明の提案に係る提案書を表すファイルである。構成ファイルｆａ７は、ユーザーが取ったメモを表すファイルである。
構成ファイルｆａ３は、１回の拒絶理由通知書に対応する。このため、拒絶理由通知書が複数回発行された場合には、拒絶理由通知書を表す構成ファイルが複数存在する。また、引用文献に対応する構成ファイルｆａ４は、１件の引用文献に対応する。このため、引用文献が複数ある場合には、引用文献を表す構成ファイルが複数存在する。
【００１７】
更に、記憶部１３は、コンテンツ管理テーブルＴＢ１を記憶する。コンテンツ管理テーブルＴＢ１は、出願業務ファイル群Ｆａの構成ファイルに含まれるコンテンツの分類を管理するためのデータテーブルである。
【００１８】
図４は、コンテンツ管理テーブルＴＢ１の構成例を示す図である。図４に示すように、コンテンツ管理テーブルＴＢ１では、第１階層と、第１階層の下位に関連付けられた第２階層とからなる階層構造により、コンテンツが分類される。具体的には、第１階層は、構成ファイル単位で、コンテンツを分類する階層である。第２階層は、構成ファイルに含まれるコンテンツの一単位毎に、当該コンテンツを分類する階層である。
【００１９】
例えば、第１階層「管理票」には、第２階層「検討依頼兼回答書」、「依頼内容」及び「評価」がそれぞれ関連付けられている。これは、管理票を表す構成ファイルｆａ２に、「検討依頼兼回答書」、「依頼内容」及び「評価」という各単位のコンテンツが含まれることを意味する。また、第１階層「拒絶理由通知書」には、第２階層「拒絶理由」及び「引用文献等一覧」がそれぞれ関連付けられている。これは、拒絶理由通知書を表す構成ファイルｆａ３に、「拒絶理由」及び「引用文献等一覧」という各単位のコンテンツが含まれることを意味する。コンテンツ管理テーブルＴＢ１では、第１階層「引用文献」又は「出願書類」に関連付けられた第２階層においても、一単位毎にコンテンツが分類されている。
表紙を表す構成ファイルｆａ１、提案書を表す構成ファイルｆａ６、及び、メモを表す構成ファイルｆａ７の各々は、１単位のコンテンツを含んで構成される。このため、コンテンツ管理テーブルＴＢ１では、第１階層及び第２階層の情報が同一となっている。
以上のとおり、出願業務ファイル群Ｆａの構成ファイルは、１又は２単位以上のコンテンツからなるコンテンツ群を含んで構成される。
【００２０】
＜表示装置２０のハードウェア構成＞
図５は、表示装置２０のハードウェア構成を示すブロック図である。図５に示すように、管理サーバー１０は、制御部２１と、デジタイザー２２と、表示部２３と、通信部２４と、記憶部２５とを備える。
制御部２１は、演算処理装置であるＣＰＵ２１ａと、ＲＯＭ及びＲＡＭを含むメモリー２１ｂを有するマイクロコンピューターを備える。ＣＰＵ２１ａは、ＲＯＭ又は記憶部２５に記憶されたプログラムをＲＡＭに読み出して実行することにより、表示装置２０の各部を制御する。デジタイザー２２は、スタイラスペン２００により指示された表示部２３の表示面上の位置を検出する。デジタイザー２２は、表示部２３の表示面に設けられた面状のセンサー（例えば、静電容量方式又は電磁誘導方式）を備える。
【００２１】
表示部２３は、画像を表示する表示手段である。表示部２３は、例えば、ドットマトリクス式の電気光学パネルや、電気光学パネルを駆動する駆動回路を有する。電気光学パネルは、行方向及び列方向にマトリクス状に配置された複数の画素を有する。各画素は、電気光学素子を有する。電気光学素子としては、電力を供給しなくても表示を維持できる記憶性表示素子が用いられる。即ち、表示部２３は、ＥＰＤ（Electrophoretic Display）である。制御部２１は、図示せぬ駆動回路を制御して、表示面に画像を表示する。
【００２２】
通信部２４は、例えば無線通信回路及びアンテナを有し、ネットワーク１００に接続して通信する。記憶部２５は、ＥＥＰＲＯＭ（Electronically Erasable and Programmable ROM）やフラッシュメモリ等の記憶装置である。記憶部２５は、例えば、制御部２１により実行される制御プログラム及びその他のデータを記憶する。
記憶部２５は、例えば、文書ファイルＦｂを記憶する。文書ファイルＦｂは、表示装置２０が管理サーバー１０からダウンロードしたファイル（第２電子ファイル）である。文書ファイルＦｂは、ここでは、文書がページ毎に区切られるＰＤＦ形式のファイルである。
【００２３】
図６は、文書ファイルＦｂの構成例を示す図である。図６に示すように、文書ファイルＦｂは、ここでは、コンテンツ群ｂ１〜ｂ７を含んで構成される。
ここで、変数「ｉ」（ｉは自然数）を用いて、文書ファイルＦｂのコンテンツ群の符号を「ｂｉ」と表し、出願業務ファイル群Ｆａの構成ファイルの符号を「ｆａｉ」と表した場合、コンテンツ群ｂｉは、構成ファイルｆａｉに含まれるコンテンツ群に対応している。
更に、文書ファイルＦｂは、コンテンツの開始位置を特定するタグとして、第１タグ及び第２タグを含む。第１タグは、コンテンツ管理テーブルＴＢ１の第１階層の分類に対応するタグであり、構成ファイル単位のコンテンツ（即ち、コンテンツ群）の開始位置を特定する情報である。第２タグは、コンテンツ管理テーブルＴＢ１の第２階層の分類に対応するタグであり、一単位のコンテンツの開始位置を特定する情報である。
第１タグ及び第２タグは、例えば、文書ファイルＴｂのページ番号を特定する情報を含むが、更に、１ページのコンテンツ（文書）内の行を特定する行番号等を含む場合がある。
なお、第１タグ及び第２タグの各々の具体的なデータ構成や、文書ファイルへの付与の方法については特に問わない。
記憶部２５は、更に、ページ情報テーブルＴＢ２を記憶する。
【００２４】
図７は、ページ情報テーブルＴＢ２の構成例を示す図である。
図７に示すように、ページ情報テーブルＴＢ２は、文書ファイルＦｂに含まれるコンテンツ群ｂ１〜ｂ７の各々について、開始ページ及び終了ページのページ番号と、ページ記録とを格納するデータテーブルである。ページ記録は、コンテンツ群毎に、表示装置２０で最後に表示されたページ番号の記録である。ページ記録は、各コンテンツ群の開始ページをページ番号「１」として、相対的なページ番号によって表される。ページ情報テーブルＴＢ２の開始ページ及び終了ページのページ番号は、表示装置２０が管理サーバー１０から取得することにより特定される。
図７において、ページ記録のフィールドは、「−」（ハイフン）で示されている。これは、表示装置２０がページ記録を保持していない、即ち、未だコンテンツを表示していないことを意味する。
なお、ページ情報テーブルＴＢ２のページ記録は、文書ファイルＦｂの表示が終了すると破棄されてもよいし、文書ファイルＦｂの表示が終了したり表示装置２０の電源が切られたりした場合も継続して保持されてもよい。
記憶部２５は、更に、表示状態テーブルＴＢ３を記憶する。
【００２５】
図８は、表示状態テーブルＴＢ３の構成例を示す図である。
表示状態テーブルＴＢ３は、文書ファイルＦｂのページ毎に、コンテンツの表示状態の情報を格納するデータテーブルである。表示状態は、表示装置２０でコンテンツが最後に表示されたときの表示の状態であり、ここでは、回転角度、表示倍率及び表示位置の各情報を含む。回転角度は、コンテンツが回転表示された場合の回転角度（例えば、時計回り方向の回転角度）である。表示倍率は、コンテンツの表示の倍率（標準で１００％）である。表示位置は、コンテンツの表示位置で、例えば、１ページのコンテンツ（文書）内の行番号を表す。
図８において、表示状態テーブルＴＢ３の各フィールドが「−」で示されている。これは、未だコンテンツの表示状態の情報が格納されていないことを意味する。
なお、表示状態テーブルＴＢ３の表示状態の情報は、文書ファイルＦｂの表示が終了すると破棄されてもよいし、文書ファイルＦｂの表示が終了したり表示装置２０の電源が切られたりした場合も継続して保持されてもよい。
【００２６】
＜表示システム１の機能構成＞
図９は、表示システム１の機能構成を示す機能ブロック図である。
（管理サーバー１０の機能構成）
管理サーバー１０の制御部１１は、制御プログラムを実行することにより、変換手段１１１と、結合手段１１２と、付与手段１１３と、送信手段１１４と、分割手段１１５とに相当する機能を実現する。
変換手段１１１は、出願業務ファイル群Ｆａの構成ファイルのファイル形式（フォーマット）を、決められたファイル形式（ここではＰＤＦ形式）に変換する手段である。
【００２７】
結合手段１１２は、コンテンツ管理テーブルＴＢ１を参照して、出願業務ファイル群Ｆａの構成ファイルを結合して、文書ファイルを生成する手段である。結合手段１１２は、変換手段１１１によりファイル形式が変換された構成ファイルについては、その変換後の構成ファイルを使用する。
【００２８】
付与手段１１３は、コンテンツ管理テーブルＴＢ１を参照して、結合手段１１２により生成された文書ファイルに対し、第１タグ及び第２タグを付与する手段である。付与手段１１３は、第１タグ及び第２タグを付与した文書ファイルを、文書ファイルＦｂとして供給する。
【００２９】
送信手段１１４は、付与手段１１３から供給された文書ファイルＦｂを、通信部１２を介して表示装置２０へ送信する手段である。
分割手段１１５は、付与手段１１３から供給された文書ファイルＦｂを、第１タグで特定されるコンテンツ群の開始位置で分割する手段である。分割手段１１５は、分割後の複数の文書ファイル（第３電子ファイル）を、記憶部１３に記憶させる。分割後の文書ファイルのことを、以下では「分割ファイル」と称する。
分割ファイルは、文書ファイルが生成される際に、結合手段１１２によって構成ファイルと結合される場合がある。
【００３０】
（表示装置２０の機能構成）
表示装置２０の制御部２１は、制御プログラムを実行することにより、受信手段２１１と、表示制御手段２１２と、受付手段２１３とに相当する機能を実現する。
受信手段２１１は、管理サーバー１０の送信手段１１４により送信された文書ファイルＦｂを、通信部２４を介して受信し、取得する手段である。即ち、受信手段２１１は、文書ファイルＦｂを取得する取得手段としても機能する。受信手段２１１は、受信した文書ファイルＦｂを、記憶部２５に記憶させる。
【００３１】
表示制御手段２１２は、記憶部２５に記憶された文書ファイルＦｂに基づいて、第１タグ及び第２タグと関連付けて、表示部２３にコンテンツを表示させる手段である。
受付手段２１３は、表示部２３に表示するコンテンツを指定する操作を受け付ける。表示するコンテンツを指定する操作は、具体的には、第１タグを指定する操作、第２タグを指定する操作、ページ送り操作、及び、ハイパーリンク（後述するリンク情報）を指定する操作を含む。
【００３２】
表示制御手段２１２は、受付手段２１３が受け付けた操作に従って、文書ファイルＦｂに基づいてコンテンツを表示させる。例えば、表示制御手段２１２は、第１タグを指定する操作が受け付けられた場合には、当該第１タグで特定される開始位置にあるコンテンツを、第２タグを指定する操作が受け付けられた場合には、当該第２タグで特定される開始位置にあるコンテンツを、それぞれ表示部２３へ表示させる。また、表示制御手段２１２は、ページ送り操作に従ってページ送りしながら、コンテンツを表示させる。また、表示制御手段２１２は、リンク情報を指定する操作が受け付けられた場合には、当該リンク情報に関連付けられたコンテンツを表示させる。
【００３３】
更に、表示制御手段２１２は、ページ情報テーブルＴＢ２及び表示状態テーブルＴＢ３に基づいて、コンテンツを表示させる。例えば、表示制御手段２１２は、第１タグを指定する操作に応じて、コンテンツ群ｂ１〜ｂ７のいずれかを表示させる場合には、ページ情報テーブルＴＢ２のページ記録で特定されるページのコンテンツを表示させる。この際に、表示制御手段２１２は、表示状態テーブルＴＢ３において、表示するページのページ番号に対応付けられた表示状態で、コンテンツを表示させる。
【００３４】
次に、表示システム１の動作を説明する。
＜表示システム１の全体動作＞
図１０は、表示システム１の全体的な動作を示すシーケンス図である。図１１〜図１４は、文書ファイルＦｂの生成過程を説明する図である。
管理サーバー１０において、制御部１１は、出願業務ファイル群Ｆａを、記憶部１３に記憶（蓄積）させる（ステップＳ１）。
次に、制御部１１（変換手段１１１）は、出願業務ファイル群Ｆａの構成ファイルを、ＰＤＦ形式に変換する（ステップＳ２）。制御部１１は、構成ファイルｆａ１〜ｆａ７のうち、ＰＤＦ形式でない構成ファイルを対象として、ＰＤＦ形式への変換処理を施す。この変換処理は、ユーザーが予めＰＤＦ形式をしておく手間を減らすために実行される。
【００３５】
次に、制御部１１（結合手段１１２）は、ＰＤＦ形式である構成ファイル同士を結合する（ステップＳ３）。図１１に示すように、制御部１１は、構成ファイルｆａ１〜ｆａ７を結合して、文書ファイルＢを生成する。この際、制御部１１は、構成ファイルｆａ１〜ｆａ７の符号の末尾の数値が昇順となる配列で、構成ファイル同士を結合する。即ち、制御部１１は、構成ファイルｆａ１，ｆａ２，・・・．ｆａ６，ｆａ７という配列とする。これにより、文書ファイルＢは、コンテンツ群ｂ１，ｂ２，・・・，ｂ６，ｂ７というページ配列となる。
なお、制御部１１は、ＰＤＦファイルの結合機能を有するアプリケーションプログラムを制御して、構成ファイル同士を結合してもよい。
【００３６】
次に、制御部１１（付与手段１１３）は、文書ファイルＢにリンク情報を付与する（ステップＳ４）。リンク情報は、例えば、一の構成ファイルに含まれていたコンテンツに対し、他の構成ファイルに含まれていたコンテンツを参照可能にするために付与される。リンク情報は、参照すべきコンテンツの位置情報（例えば、ページ番号や行番号）を含む。
【００３７】
図１２には、リンク情報の付与の具体例が示されている。
図１２（ａ）に示すように、「拒絶理由通知書」に対応するコンテンツ群ｂ３は、参照すべきコンテンツを特定する文字列として、「本願請求項１」という文字列ｔ１を含む。文字列ｔ１は、「出願書類」に含まれる「特許請求の範囲」の請求項１を意味する。また、コンテンツ群ｂ３は、参照すべきコンテンツを特定する文字列として、「図２」という文字列ｔ２を含む。「引用文献１の図２には、」という文字列から、文字列ｔ２が、「引用文献１」に含まれる「図面」の図２を特定することが自明である。そこで、図１２（ｂ）に示すように、制御部１１は、文字列ｔ１に関連付けて、コンテンツ群ｂ５に含まれる請求項１を参照するためのリンク情報を付与し、文字列ｔ２に関連付けて、コンテンツ群ｂ４に含まれる図２を参照するためのリンク情報を付与する。
【００３８】
リンク情報の付与の方法は、図１２で説明した例に限定されない。
例えば、制御部１１は、「引用文献１」に含まれる「明細書」の段落番号を示す文字列に関連付けて、その段落を表示するためのリンク情報を付与してもよい。また、制御部１１は、「引用文献」に含まれる図番号や段落番号に対し、関連する「拒絶理由」を表示するためのリンク情報を付与してもよい。また、制御部１１は、更に別のコンテンツ群のコンテンツに対してリンク情報を付与してもよいし、同一の構成ファイルにあったコンテンツ同士を関連付けるリンク情報を付与してもよい。
【００３９】
次に、制御部１１は、リンク情報を付与した文書ファイルＢに対して、第１タグ及び第２タグを付与し、文書ファイルＦｂを生成する（図１０のステップＳ５）。
図１３には、文書ファイルＦｂの構成例が示されている。図１３では、図中左から右方向にページが遷移し、更に、図中上から下方向に向かってページが進む。
ここで、変数「ｉ」を用いて、第１タグの符号を「ｇｉ」と表した場合、制御部１１は、コンテンツ群ｂｉの開始ページの先頭（即ち開始位置）に、第１タグｇｉを付与する。また、変数「ｉ」と「ｊ」（ｊは自然数）を用いて、第２タグの符号を「ｇｉｊ」と表した場合、制御部１１は、コンテンツ群ｂｉにおいて、先頭からｊ番目のコンテンツの開始位置（例えば、開始行）に、第２タグｇｉｊを付与する。例えば、図１３及び図１４（ａ）に示すように、「引用文献１」に対応するコンテンツ群ｂ３には、第１タグｇ３が関連付けられる。更に、「拒絶理由」には、第２タグｇ３１が関連付けられ、「引用文献等一覧」には、第２タグｇ３２が関連付けられる。また、図１３及び図１４（ｂ）に示すように、「出願書類」に対応するコンテンツ群ｂ５には、第１タグｇ５が関連付けられる。更に、「背景技術」には、第２タグｇ５２が関連付けられ、「課題を解決するための手段」には、第２タグｇ５３が関連付けられる。
【００４０】
一単位のコンテンツの開始位置を特定するために、制御部１１は、文書ファイルＢに含まれる文字列（文字）を解析する。特許出願業務に係る書類は、予め書式（形式、フォーマット）が決まっている。そこで、制御部１１は、この書式に係る文字列を抽出することにより、一単位のコンテンツの開始位置を特定する。図１４（ａ）に示すように、制御部１１は、コンテンツ群ｂ３において、「引用文献等一覧」という文字列ｔ３が配置された位置を、「引用文献等一覧」の開始位置とする。また、図１４（ｂ）に示すように、制御部１１は、コンテンツ群ｂ５において、「背景技術」という文字列ｔ４が配置された位置を、「背景技術」の開始位置とし、「課題を解決するための手段」という文字列ｔ５が配置された位置を、「課題を解決するための手段」の開始位置とする。
前述したもの以外の第１タグ及び第２タグの付与については、以上の説明から容易に類推できるので、説明を省略する。
【００４１】
図１０に戻り、制御部１１（送信手段１１４）は、第１タグ及び第２タグを付与した文書ファイルＦｂを、通信部１２を介して表示装置２０へ送信する（ステップＳ６）。この際、制御部１１は、ページ情報テーブルの開始ページ及び終了ページのページ番号を、表示装置２０へ送信する。
表示装置２０において、制御部２１（受信手段２１１）は、通信部２４を介して文書ファイルＦｂを受信し、これを取得する（ステップＳ７）。制御部２１は、受信（取得）した文書ファイルＦｂを、記憶部２５に記憶させる（ステップＳ８）。
なお、表示装置２０は、文書ファイルＦｂを他装置（他の表示装置２０）へ送信してもよい。この場合、表示装置２０は、ページ情報テーブルＴＢ２及び表示状態テーブルＴＢ３の情報を送信せずに、文書ファイルＦｂを送信することが可能である。
【００４２】
＜文書ファイルに基づくコンテンツの表示処理＞
図１５は、表示装置２０の制御部２１（表示制御手段２１２）が行う文書ファイルＦｂに基づくコンテンツの表示処理を示すフローチャートである。
表示装置２０の制御部２１は、文書ファイルＦｂに基づいて、第１タグ及び第２タグと関連付けて、コンテンツを表示部２３へ表示させる（ステップＳ１１１）。例えば、制御部２１は、ユーザーが行った操作に応じて、記憶部２５から文書ファイルＦｂを読み出して、表示を開始する。
【００４３】
図１６は、文書ファイルＦｂに基づく表示部２３の表示例を示す図である。図１６（ａ）に示すように、文書ファイルＦｂが表示対象として指定されると、制御部２１は、まず、コンテンツ群ｂ１の第１ページのコンテンツ（即ち、表紙）を、表示部２３に表示させる。表示部２３は、矩形領域からなるコンテンツを表示する。更に、制御部２１は、第１タグｇ１〜ｇ７の各々に対応するメニューＭ１〜Ｍ７を、コンテンツ群ｂ１の上辺に沿って配列させる。第１タグｇｉは、メニューＭｉに対応する。制御部２１は、例えば、タブ形式で第１タグに対応したメニューを表示させる。メニューの名称は、例えば、構成ファイルのファイル名又はコンテンツの名称に基づいて決められている。
【００４４】
また、制御部２１は、表示中のコンテンツと同じ構成ファイルに含まれていたコンテンツについて、第２タグの各々に対応するメニューを表示させる。ここでは、制御部２１は、第２タグｇ１１に対応するメニューＭ１１を、コンテンツ群ｂ１の右辺に沿って配置する。第２タグｇｉｊは、メニューＭｉｊに対応する。制御部２１は、ＰＤＦ形式のファイルを表示するアプリケーションプログラムで利用可能な「しおり」の機能を用いて、第２タグのメニューを表示させる。このときのメニューの名称は、例えば、第２タグを付与する位置を特定するために抽出された文字列（項目名）に基づいて決められている。
なお、図１６及びその他の図面において、選択中のメニュー（例えばユーザーがタップ操作したメニュー）に斜線部を付して表す。また、制御部２１は、選択中のメニューをユーザーに対して明示するために、表示形態（例えば、色や階調）を変化させてもよい。また、メニューは、ユーザーが操作可能な他の形式（例えばアイコン形式）で表示されてもよい。
【００４５】
次に、制御部２１は、表示部２３に表示するコンテンツを指定する操作を受け付けたかどうかを判断する（ステップＳ１１２）。ステップＳ１１２の処理で「ＹＥＳ」と判断した場合、制御部２１は、コンテンツを指定する操作が、第１タグを指定する操作どうかを判断する（ステップＳ１１３）。制御部１１は、メニューＭ１〜Ｍ７のいずれかのタップ操作を受け付けた場合、ステップＳ１１３の処理で「ＹＥＳ」と判断する。ここでは、制御部１１が、「出願書類」に対応するメニューＭ５のタップ操作を受け付けたとする。
【００４６】
＜第１タグ指定時のコンテンツの表示（表示例１）＞
ステップＳ１１３の処理で「ＹＥＳ」と判断すると、制御部２１は、ページ情報テーブルＴＢ２のページ記録に基づいて、指定された第１タグに対応したコンテンツ群のコンテンツを、過去に表示したかどうかを判断する（ステップＳ１１４）。ここでは、制御部２１は、初めてコンテンツ群ｂ５のコンテンツを表示させる。このため、制御部２１は、ステップＳ１１４の処理で「ＮＯ」と判断し、指定された第１タグで特定される開始位置からコンテンツを表示させる（ステップＳ１１５）。
【００４７】
この場合、制御部２１は、図１６（ｂ）に示すように、コンテンツ群ｂ５の第１ページの「願書」を、第１タグ及び第２タグと関連付けて表示部２３へ表示させる。具体的には、制御部２１は、メニューＭ１〜Ｍ７を表示させたまま、コンテンツ群ｂ５に付与された第２タグｇ５１〜ｇ５７に対応するメニューＭ５１〜Ｍ５７を、コンテンツの右辺に沿って配列させる。
次に、制御部２１は、表示したコンテンツに基づいて、ページ情報テーブルＴＢ２及び表示状態テーブルＴＢ３を更新する（ステップＳ１２０）。ここでは、制御部２１は、コンテンツ群ｂ５の第１ページをページ記録として、ページ情報テーブルＴＢ２に書き込み、コンテンツ群ｂ５の第１ページの表示状態の情報を、表示状態テーブルＴＢ３に書き込む。
【００４８】
＜第２タグ指定時のコンテンツの表示（表示例１）＞
ステップＳ１１３の処理で「ＮＯ」と判断した場合、制御部２１は、コンテンツを指定する操作が、第２タグを指定する操作かどうかを判断する（ステップＳ１１６）。ここにおいて、制御部１１は、第２タグに対応するメニューのタップ操作を受け付けた場合、ステップＳ１１６の処理で「ＹＥＳ」と判断する。この場合、制御部２１は、第２タグで特定される開始位置にあるコンテンツを、表示部２３に表示させる（ステップＳ１１７）。図１７（ａ）に示すように、制御部２１は、コンテンツ群ｂ５の「願書」の表示中に、メニューＭ５５のタップ操作を受け付けたとする。この場合、制御部２１は、図１７（ｂ）に示すように、第２タグｇ５５で特定される開始位置にあるコンテンツとして、コンテンツ群ｂ５の「特許請求の範囲」を表示させる。そして、制御部２１は、表示したコンテンツに基づいて、ページ情報テーブルＴＢ２及び表示状態テーブルＴＢ３を更新する（ステップＳ１２０）。
【００４９】
＜ページ送り操作時のコンテンツの表示＞
ステップＳ１１６で「ＮＯ」と判断した場合、即ち、コンテンツを指定する操作が、第１タグ又は第２タグを指定する操作でないと判断した場合、制御部２１は、ステップＳ１１８の処理に進める。ここで、ユーザーがページ送り操作をした場合を考える。この場合、制御部２１は、ページ送り操作に従って、コンテンツの表示を変更する（ステップＳ１１８）。そして、制御部２１は、表示したコンテンツに基づいて、ページ情報テーブルＴＢ２及び表示状態テーブルＴＢ３を更新する（ステップＳ１２０）。
【００５０】
図１８は、ページ送り操作時のコンテンツ表示例を説明する図である。
図１８（ａ）に示すように、制御部２１が、コンテンツ群ｂ５の「図面」の表示中に、ページを進めるページ送り操作を受け付けた場合を考える。この場合、制御部２１は、図面の番号が大きくなる方向にコンテンツをスクロールさせて、ページ送りをする（図１８（ｂ）参照）。そして、制御部２１は、コンテンツ群ｂ５の最終ページを過ぎて、「提案書」に対応するコンテンツ群ｂ６の表示を開始する。制御部２１は、表示するコンテンツが属するコンテンツ群が変化したタイミングで、第２タグに対応するメニューの表示を変化させる。ここでは、制御部２１は、図１８（ｃ）に示すように、コンテンツ群ｂ５のコンテンツが表示されなくなったタイミングで、コンテンツ群ｂ６に付与された第２タグｇ６１に基づいて、メニューＭ６１を表示させる。
なお、制御部２１は、リンク情報を指定する操作を受け付けた場合、ステップＳ１１６で「ＮＯ」と判断し、ステップＳ１１８において、リンク情報が示す位置にあるコンテンツを、表示部２３へ表示させる。
【００５１】
＜第１タグ指定時のコンテンツの表示（表示例２）＞
ところで、ステップＳ１１４の処理で「ＹＥＳ」と判断した場合、即ち、指定された第１タグで特定されるコンテンツ群のコンテンツを、過去に表示したと判断した場合、制御部２１は、ステップＳ１１９の処理に進める。この場合、制御部２１は、ページ情報テーブルＴＢ２に基づいて、ページ記録で特定されるページ、即ち、前回の表示終了時と同じコンテンツを表示させる（ステップＳ１１９）。更に、制御部２１は、表示状態テーブルＴＢ３に従った表示状態で、コンテンツを表示させる。これにより、第１タグの指定によりコンテンツの表示が切り替えられた場合であっても、制御部２１は、構成ファイル毎に、開始ページから表示させるのではなく、最後に表示したページを表示させる。
【００５２】
例えば、図１９（ａ）に示すように、「引用文献１」に対応するコンテンツ群ｂ４の第４５ページを表示しているときに、図１９（ｂ）に示すように、コンテンツ群ｂ５に表示が切り替えられた場合を考える。この場合、図２０に示すように、ページ情報テーブルＴＢ２では、「引用文献１」に関連付けて、ページ記録「４５」が格納される。更に、図２０に示すように、そのときの表示状態の情報が、ページ番号「４５」に関連付けて、表示状態テーブルＴＢ３に格納される。ここでは、回転角度「０度」、表示倍率「１４１％」、表示位置「１０行目」とする。この場合、コンテンツ群ｂ５の表示後にメニューＭ４がタップ操作されたときには、制御部２１は、図１９（ｃ）に示すように、「引用文献１」の第４５ページのコンテンツを再び表示させる。更に、制御部２１は、表示状態テーブルＴＢ３に基づいて、最後に表示したときの表示状態でコンテンツを表示させる。
【００５３】
ステップＳ１２０の処理を実行した後は、制御部２１は、コンテンツの表示を終了するかどうかを判断する（ステップＳ１２１）。制御部２１は、コンテンツの表示を終了しない場合は（ステップＳ１２１；ＮＯ）、ステップＳ１１２の処理に戻す。また、制御部２１は、コンテンツの表示を終了する場合には（ステップＳ１２１；ＹＥＳ）、コンテンツの表示を終了する。
【００５４】
＜管理サーバー１０が行う分割ファイルを用いた動作＞
次に、管理サーバー１０の制御部１１（分割手段１１５）が行う分割ファイルを用いた動作を説明する。図２１は、制御部１１が行う文書ファイルＦｂの分割処理を示すフローチャートである。図２２は、分割ファイル群Ｆｄの構成例を示す図である。
制御部１１は、ステップＳ５の処理で生成した文書ファイルＦｂを、第１タグで特定されるコンテンツの開始位置で分割することにより、複数の分割ファイルを生成する（ステップＳ１３１）。図２２に示すように、ここでは、制御部１１は、第１タグｇ１〜ｇ７で特定される位置で分割して、分割ファイルｆｄ１〜ｆｄ７からなる分割ファイル群Ｆｄを生成する。このとき、制御部１１は、第１タグ、第２タグ及びその他の文書ファイルｆｂに付与した情報（例えば、リンク情報やアノテーション）を削除する。制御部１１は、削除した情報を、別ファイルで管理してもよい。
【００５５】
分割ファイル群Ｆｄの分割ファイルは、出願業務ファイル群Ｆａの各構成ファイルに対応して各々生成される。このため、分割ファイルは、出願業務ファイル群Ｆａの構成ファイル又はＰＤＦ形式への変換後のファイルと実質的に同一である。制御部１１は、例えば、第１タグのメニューの名称を、分割ファイル群Ｆｄの各分割ファイルの名称とする。
制御部１１は、生成した複数の分割ファイル群Ｆｄを、記憶部１３に記憶させる（ステップＳ１３２）。
【００５６】
管理サーバー１０は、出願業務ファイル群Ｆａ毎に、一度文書ファイルＦｂを生成した後は、分割ファイル群Ｆｄを用いて、文書ファイルＦｂの更新処理を行う。更新処理の機会は、構成ファイルが増加した場合、又は、既存の構成ファイルの内容が変化した（例えば、手書きの内容が記述された）場合であるが、これらの例に限定されない。
【００５７】
図２３は、制御部１１が行う文書ファイルＦｂの更新処理を示すフローチャートである。図２４は、文書ファイルの更新過程を説明する図である。
制御部１１は、まず、追加ファイルを記憶部１３に記憶させる（ステップＳ１４１）。追加ファイルは、ここでは、２回目の「拒絶理由通知書」に対応する構成ファイルｆａ８、及び、「引用文献２」に対応する構成ファイルｆａ９を含む（図２４（ａ）参照）。次に、制御部１１（変換手段）は、追加ファイルをＰＤＦ形式に変換する（ステップＳ１４２）。追加ファイルがＰＤＦ形式である場合には、制御部１１は、ステップＳ１４２の処理を省略する。
【００５８】
次に、制御部１１は、追加ファイルと分割ファイル群Ｆｄを結合して、文書ファイルを生成する（ステップＳ１４３）。追加ファイルの配置位置は、構成ファイルが結合されるときの配列に従う。このため、制御部２１は、図２４（ｂ）に示すように、文書ファイルＦｂに含まれていた一単位以上のコンテンツの開始位置が変化するように、追加ファイルと、分割ファイル群Ｆｄを結合することとなる。具体的には、制御部１１は、２回目の「拒絶理由通知書」に対応する構成ファイルｆａ８を、１回目の「拒絶理由通知書」に対応する構成ファイルｆｄ３と、「出願書類」に対応する構成ファイルｆｄ４との間に配置する。また、制御部１１は、「引用文献２」に対応する構成ファイルｆａ９を、１回目の「拒絶理由通知書」に対応する構成ファイルｆｄ４と、「出願書類」に対応する構成ファイルｆｄ５との間に配置する。これにより、制御部１１は、文書ファイルＦｂを更新して、文書ファイルＦｂａを生成する。
以上のとおり、制御部１１は、追加ファイルを配置するページを任意に決定できるように、分割ファイル群Ｆｄを使用して、文書ファイルＦｂを更新する。
【００５９】
そして、制御部１１は、文書ファイルＦｂａに対し、リンク情報、第１タグ及び第２タグを付与して、表示装置２０へ送信する（ステップＳ１４４，Ｓ１４５，Ｓ１４６）。ステップＳ１４４，Ｓ１４５，Ｓ１４６の処理は、ステップＳ４〜Ｓ６と同じでよい。
なお、制御部１１は、分割ファイルを精製する際に削除し、別ファイルで管理した情報に基づいて、文書ファイルに対し、第１タグ、第２タグ及びその他の情報を付与してもよい。
【００６０】
以上説明した実施形態では、管理サーバー１０が、第１タグ及び第２タグを付与した文書ファイルＦｂを生成して、表示装置２０へ送信する。このため、出願業務ファイル群Ｆａの構成ファイルが独立して、表示装置２０に提供される場合に比べて、ファイルの管理が簡素化される。また、表示装置２０は、第１タグ及び第２タグを指定する操作を受け付けて、コンテンツの表示を変化させる。この際に、ユーザーは、コンテンツに関連付けて表示されたメニューのタップ操作をするだけでよいから、目的のコンテンツを参照するための操作の負担が小さい。また、第１タグ及び第２タグに対応する２階層で、コンテンツが分類されるので、表示装置２０のユーザーは、構成ファイル単位でコンテンツを表示させたり、コンテンツ単位でコンテンツを表示させたりする操作を容易に行える。また、表示装置２０では、特許出願毎に１個の文書ファイルに基づいてコンテンツを表示するので、管理サーバー１０との通信を常時行う必要がなく、オフラインで文書を閲覧することにも適している。
【００６１】
また、表示装置２０は、第１タグが指定された場合に、コンテンツ群毎に常に開始位置からコンテンツを表示するのではなく、最後に表示したコンテンツを表示させる。このため、ユーザーは、紙媒体の複数の書類を自身の近くに置き、これらを同時に参照するような感覚で、コンテンツを参照することができる。
また、コンテンツにはリンク情報が付与されているので、相互に関連するコンテンツを参照するときのユーザーの負担が更に小さくなる。
【００６２】
本発明は、上述した実施形態と異なる形態で実施することが可能である。本発明は、例えば、以下のような形態で実施することも可能である。また、以下に示す変形例は、各々を適宜に組み合わせてもよい。
（変形例１）
表示装置２０は、第２タグを指定する操作を受け付けた場合に、当該第２タグで特定されるコンテンツの開始位置以外の位置から、コンテンツを表示してもよい。具体的には、制御部２１（表示制御手段２１２）は、一のコンテンツの表示を終了した後で、当該一のコンテンツの第２タグを指定する操作が受け付けられた場合には、開始ページではなく、最後に表示した位置から、当該コンテンツを再び表示させる。
【００６３】
＜第２タグ指定時のコンテンツの表示（表示例２）＞
図２５は、この変形例に係る表示装置２０が行うコンテンツの表示処理を示すフローチャートである。図２６は、表示装置２０でのコンテンツの表示例を示す図である。図２５において、ステップＳ１１３までの各処理とステップＳ１２０以降の各処理は、図１５で説明した処理と同じでよいから、図示及び説明を省略する。
制御部２１は、コンテンツを指定する操作が、第２タグを指定する操作かどうかを判断する（ステップＳ１１６）。ここで、図２６（ａ）に示すように、「引用文献１」に対応するコンテンツ群ｂ４の「明細書」の第４５ページを表示しているときに、「図面」を表示するようにメニューＭ４４のタップ操作を受け付けた場合を考える。
【００６４】
次に、制御部２１は、第２タグで特定されるコンテンツを過去に表示したかどうかを判断する（ステップＳ１２２）。制御部２１は、過去にコンテンツを表示したかどうかを判断する。例えば、制御部２１は、第２タグで特定されるコンテンツ毎に、過去に表示したかどうかという情報と、最後に表示した位置（例えばページ番号及び行番号）を、例えばページ情報テーブルＴＢ２で管理しておく。
ここでは、制御部２１は、初めて第２タグに対応するコンテンツを表示させる。このため、制御部２１は、ステップＳ１２２の処理で「ＮＯ」と判断し、図２６（ｂ）に示すように、「図面」の開始位置からコンテンツを表示させる（ステップＳ１１９）。ステップＳ１２２の処理で「ＹＥＳ」と判断した場合、制御部２１は、ページ情報テーブルＴＢ２に基づいて、前回の表示終了時と同じ位置からコンテンツを表示させる（ステップＳ１２３）。図２６（ｂ）に示す表示後、再び「明細書」を表示させるべくメニューＭ４３を指示する操作を受け付けた場合、制御部２１は、図２６（ｃ）で示した位置、即ち、「明細書」の第４５ページからコンテンツ群ｂ４のコンテンツを表示させる。制御部２１は、表示状態テーブルＴＢ３に基づいて、最後に表示したときの表示状態で、コンテンツを表示させる。このため、図２６（ａ）に示す表示と、図２６（ｃ）に示す表示とは同じである。
【００６５】
（変形例２）
表示装置２０は、記憶部２５に記憶された文書ファイルＦｂが更新された場合、更新後の文書ファイルＦｂを、管理サーバー１０へ送信（アップロード）してもよい。この場合、管理サーバー１０は、アップロードされた文書ファイルに基づいて分割ファイルを生成し、更新処理に使用する。例えば、表示装置２０は、スタイラスペン２００を用いて文書ファイルＦｂに手書きコンテンツが挿入された場合に、文書ファイルをアップロードする。この変形例によれば、複数の表示装置２０で同一の文書ファイルが共有される場合であっても、表示装置２０同士の文書ファイルの同期を実現しやすくなる。
【００６６】
（変形例３）
上述した実施形態で説明した表示システム１の構成や動作の一部が省略されてもよい。例えば、管理サーバー１０は、分割ファイルの生成及び分割ファイルを用いた文書ファイルＦｂの更新処理を行わなくてもよい。例えば、管理サーバー１０は、生成済みの文書ファイルＦｂに、追加ファイルを結合することにより、文書ファイルを更新してもよい。
また、表示システム１において、ページ情報テーブルＴＢ２に基づく表示終了時のコンテンツの表示や、表示状態テーブルＴＢ３に基づく表示状態の再現が省略されてもよい。
また、出願業務ファイル群Ｆａの構成ファイルが予めＰＤＦ形式になっていれば、管理サーバー１０において、ファイル形式の変換処理が省略されてもよい。
また、コンテンツの表示状態は、回転角度、表示倍率及び表示位置の少なくとも１つを含むようにしてもよいし、更に別の表示状態を含んでもよい。
【００６７】
（変形例４）
本発明の表示装置は、第１タグ及び第２タグが付与された電子ファイルに基づいて、コンテンツを表示する装置に適用可能である。即ち、本発明の表示装置は、複数の電子ファイルを結合した電子ファイルに基づいてコンテンツを表示する装置に限られない。この場合の電子ファイルは、２単位以上のコンテンツを含むコンテンツ群の開始位置を特定する第１タグと、一単位のコンテンツの開始位置を特定する第２タグが付与された電子ファイルであればよい。第１タグ及び第２タグは、例えば、管理サーバー１０のユーザー等によって手動で付与されてもよいし、上述した実施形態で説明した以外のアルゴリズムで付与されてもよい。
【００６８】
（変形例５）
上述した実施形態では、表示システム１において、ＰＤＦ形式の文書ファイルを扱う例を説明したが、この例に限られない。例えば、文書がページ毎に区切られる形式の文書ファイルであって、第１タグ及び第２タグが付与されるとともに、指定された第１タグ及び第２タグで特定される位置からコンテンツを表示できる機能を実現可能であれば、ファイル形式は特に問わない。
また、第１タグ及び第２タグの表示形式や表示位置、操作方法は、上述した実施形態で説明した例に限定されない。また、表示装置２０は、文書ファイルに基づいて、第１タグ及び第２タグに対応するメニューと、コンテンツを、各々異なる表示部（表示面）に表示させてもよい。
【００６９】
（変形例６）
本発明の表示装置は、ＥＰＤに限定されない。隔壁型（マイクロカップ）の電気泳動方式や、電子粉粒体、コレステリック液晶、エレクトロクロミック等、他の記憶性表示素子が用いられてもよい。また、液晶ディスプレイや有機ＥＬ（Electro Luminescence）ディスプレイなど、非記憶性表示素子が用いられてもよい。
【００７０】
（変形例７）
本発明の電子ファイルは、特許出願業務に係る文書ファイル以外の文書ファイルであってもよい。例えば、形式（フォーマット）が決まった文書ファイル（例えば、各種公的書類等）を、本発明に適用可能である。また、一単位のコンテンツを特定できるように、コンテンツ管理テーブルＴＢ１や第１タグ及び第２タグの付与のアルゴリズムが構成されていれば、文書ファイルでの文書の形式（様式）は特に問われない。
また、本発明の電子ファイルは、文書ファイル以外のファイルであって、複数のコンテンツを含む電子ファイル（例えば、画像ファイル）であってもよい。
【００７１】
（変形例８）
上述した実施形態において、管理サーバー１０の制御部１１や、表示装置２０の制御部２１が実現する各機能は、複数のプログラムの組み合わせによって実現され、又は、複数のハードウェア資源の連係によって実現されうる。制御部１１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリー等のコンピューター読取り可能な記録媒体に記憶した状態で提供されてもよいし、ネットワークを介して配信されてもよい。また、本発明は、表示方法として把握することも可能である。
【符号の説明】
【００７２】
１…表示システム、１０…管理サーバー、１００…ネットワーク、１１…制御部、１１ａ…ＣＰＵ、１１ｂ…メモリー、１１１…変換手段、１１２…結合手段、１１３…付与手段、１１４…送信手段、１１５…分割手段、１２…通信部、１３…記憶部、２１…制御部、２１ａ…ＣＰＵ、２１ｂ…メモリー、２１１…受信手段、２１２…表示制御手段、２１３…受付手段、２２…デジタイザー、２３…表示部、２４…通信部、２５…記憶部。
【図１】
2015200954.tif 000003
【図２】
2015200954.tif 000004
【図３】
2015200954.tif 000005
【図４】
2015200954.tif 000006
【図５】
2015200954.tif 000007
【図６】
2015200954.tif 000008
【図７】
2015200954.tif 000009
【図８】
2015200954.tif 000010
【図９】
2015200954.tif 000011
【図１０】
2015200954.tif 000012
【図１１】
2015200954.tif 000013
【図１２】
2015200954.tif 000014
【図１３】
2015200954.tif 000015
【図１４】
2015200954.tif 000016
【図１５】
2015200954.tif 000017
【図１６】
2015200954.tif 000018
【図１７】
2015200954.tif 000019
【図１８】
2015200954.tif 000020
【図１９】
2015200954.tif 000021
【図２０】
2015200954.tif 000022
【図２１】
2015200954.tif 000023
【図２２】
2015200954.tif 000024
【図２３】
2015200954.tif 000025
【図２４】
2015200954.tif 000026
【図２５】
2015200954.tif 000027
【図２６】
2015200954.tif 000028